【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
始動領域を遊技媒体が通過したことにより変動表示の実行条件が成立した後、変動表示の開始を許容する開始条件の成立に基づいて、各々を識別可能な識別情報の変動表示を実行し、表示結果を導出表示する変動表示部を備え、該変動表示部の表示結果が特定表示結果となったときに、遊技状態を通常遊技状態よりも遊技者にとって有利な特定遊技状態に制御する遊技機であって、
遊技媒体が入賞可能な第１の状態と該第１の状態よりも遊技媒体が入賞しにくいまたは入賞しない第２の状態とに変化可能であり、前記特定遊技状態に制御されたときに当該第１の状態に制御される可変入賞装置と、
前記開始条件が成立したときに、前変動表示について、前記特定遊技状態に制御するか否かと、前記特定遊技状態として、第１特定遊技状態、および、該第１特定遊技状態よりも不利な第２特定遊技状態を含む複数種類の特定遊技状態のいずれにするかとを前記変動表示の表示結果が導出表示される以前に決定する事前決定手段と、
該事前決定手段による決定に基づいて、変動表示が行なわれる変動時間を決定する変動時間決定手段と、
該変動時間決定手段による決定結果に応じた変動表示を実行する変動表示実行手段と、
前記第１特定遊技状態、および、前記第２特定遊技状態の終了後において、前記事前決定手段により前記特定遊技状態に制御すると決定される確率を前記通常遊技状態よりも高い高確率状態に制御する高確率状態制御手段と、
前記特定遊技状態の終了後において、前記変動時間決定手段が前記通常遊技状態よりも高い割合で短い変動時間に決定する第１短縮状態、または、変動時間決定手段が当該第１短縮状態よりもさらに短い短変動時間に決定する第２短縮状態に制御する変動短縮制御手段とを備え、
該変動短縮制御手段は、前記第２短縮状態において前記事前決定手段により前記第２特定遊技状態にすることが決定されたときに、前記通常遊技状態または前記第１短縮状態において前記事前決定手段により前記第２特定遊技状態にすることが決定されたときよりも、前記第２短縮状態に制御する割合が高いことを特徴とする、遊技機。
【請求項２】
前記変動短縮制御手段は、前記第１短縮状態において前記事前決定手段により前記第２特定遊技状態にすることが決定されたときに、前記通常遊技状態において前記事前決定手段により前記第２特定遊技状態にすることが決定されたときよりも、前記第２短縮状態に制御する割合が高いことを特徴とする、請求項１に記載の遊技機。
【請求項３】
前記変動短縮制御手段は、前記第２短縮状態において前記事前決定手段により前記第１特定遊技状態および前記第２特定遊技状態を含む特定遊技状態にすることが決定されたときに、前記変動時間決定手段により、前記通常遊技状態または前記第１短縮状態において前記事前決定手段により当該特定遊技状態にすることが決定されたときよりも短い変動時間に決定させることを特徴とする、請求項１または２に記載の遊技機。
【請求項４】
前記変動表示部は、
第１始動領域を遊技媒体が通過したことにより変動表示の第１実行条件が成立した後、変動表示の開始を許容する第１開始条件の成立に基づいて、各々を識別可能な第１識別情報の変動表示を実行し、表示結果を導出表示する第１変動表示部と、
第２始動領域を遊技媒体が通過したことにより変動表示の第２実行条件が成立した後、変動表示の開始を許容する第２開始条件の成立に基づいて、各々を識別可能な第２識別情報の変動表示を実行し、表示結果を導出表示する第２変動表示部とを含み、
前記第２始動領域を遊技媒体が通過可能な第１状態と、該第１状態よりも前記第２始動領域を遊技媒体が通過しにくいまたは通過しない第２状態とに変化可能であり、所定の条件が成立したときに当該第１状態に制御な可変始動装置をさらに含み、
前記事前決定手段は、前記第１開始条件が成立したときに、前記第１変動表示部で実行される変動表示について、前記特定遊技状態に制御するか否かと、前記複数種類の特定遊技状態のいずれにするかとを前記第１識別情報の変動表示の表示結果が導出表示される以前に決定し、前記第２開始条件が成立したときに、前記第２変動表示部で実行される変動表示について、前記特定遊技状態に制御するか否かと、前記複数種類の特定遊技状態のいずれにするかとを前記第２識別情報の変動表示の表示結果が導出表示される以前に決定し、
前記第１特定遊技状態、および、前記第２特定遊技状態の終了後において、前記通常遊技状態に比べて前記可変始動装置が前記第１状態に変化する頻度が高い高頻度状態に制御する高頻度状態制御手段をさらに含み、
前記第２特定遊技状態は、第１遊技状態と、第２遊技状態とを含み、
前記変動短縮制御手段は、前記第２短縮状態において前記事前決定手段により前記第１遊技状態にすることが決定されたときに前記第２短縮状態に制御するが、前記第２短縮状態以外の所定の状態において前記事前決定手段により前記第１遊技状態にすることが決定されたときには前記第２短縮状態以外の所定の状態に制御し、
前記事前決定手段は、前記第１変動表示部で実行される前記第１識別情報の変動表示よりも、前記第２変動表示部で実行される前記第２識別情報の変動表示の方が、前記第１遊技状態を決定する割合が高いことを特徴とする、請求項１から３のいずれかに記載の遊技機。
【請求項５】
前記変動表示部は、
第１始動領域を遊技媒体が通過したことにより変動表示の第１実行条件が成立した後、変動表示の開始を許容する第１開始条件の成立に基づいて、各々を識別可能な第１識別情報の変動表示を実行し、表示結果を導出表示する第１変動表示部と、
第２始動領域を遊技媒体が通過したことにより変動表示の第２実行条件が成立した後、変動表示の開始を許容する第２開始条件の成立に基づいて、各々を識別可能な第２識別情報の変動表示を実行し、表示結果を導出表示する第２変動表示部とを含み、
前記第２始動領域を遊技媒体が通過可能な第１状態と、該第１状態よりも前記第２始動領域を遊技媒体が通過しにくいまたは通過しない第２状態とに変化可能であり、所定の条件が成立したときに当該第１状態に制御な可変始動装置をさらに含み、
前記事前決定手段は、前記第１開始条件が成立したときに、前記第１変動表示部で実行される変動表示について、前記特定遊技状態に制御するか否かと、前記複数種類の特定遊技状態のいずれにするかとを前記第１識別情報の変動表示の表示結果が導出表示される以前に決定し、前記第２開始条件が成立したときに、前記第２変動表示部で実行される変動表示について、前記特定遊技状態に制御するか否かと、前記複数種類の特定遊技状態のいずれにするかとを前記第２識別情報の変動表示の表示結果が導出表示される以前に決定し、
前記第１特定遊技状態、および、前記第２特定遊技状態の終了後において、前記通常遊技状態に比べて前記可変始動装置が前記第１状態に変化する頻度が高い高頻度状態に制御する高頻度状態制御手段をさらに含み、
前記第２特定遊技状態は、当該第２特定遊技状態の終了後において前記第２短縮状態以外の所定の状態に制御される第１短縮特定遊技状態と、当該特定遊技状態の終了後において前記第２短縮状態に制御される第２短縮特定遊技状態とを含み、
前記事前決定手段は、前記第１変動表示部で実行される前記第１識別情報の変動表示よりも、前記第２変動表示部で実行される前記第２識別情報の変動表示の方が、前記特定遊技状態として前記第２短縮特定遊技状態を決定する割合が高いことを特徴とする、請求項１から３のいずれかに記載の遊技機。
【手続補正２】
【補正対象書類名】明細書
【補正対象項目名】００１２
【補正方法】変更
【補正の内容】
【００１２】
（４）  前記変動表示部は、
第１始動領域（第１始動口１３）を遊技媒体が通過したことにより変動表示の第１実行条件が成立した後、変動表示の開始を許容する第１開始条件の成立に基づいて、各々を識別可能な第１識別情報の変動表示を実行し、表示結果を導出表示する第１変動表示部（第１特別図柄表示器８ａ）と、
第２始動領域（第２始動口１４）を遊技媒体が通過したことにより変動表示の第２実行条件が成立した後、変動表示の開始を許容する第２開始条件の成立に基づいて、各々を識別可能な第２識別情報の変動表示を実行し、表示結果を導出表示する第２変動表示部（第２特別図柄表示器８ｂ）とを含み、
前記第２始動領域を遊技媒体が通過可能な第１状態（開状態）と、該第１状態よりも前記第２始動領域を遊技媒体が通過しにくいまたは通過しない第２状態（閉状態）とに変化可能であり、所定の条件が成立したときに当該第１状態に制御な可変始動装置（可変入賞球装置１５）をさらに含み、
前記事前決定手段は、前記第１開始条件が成立したときに、前記第１変動表示部で実行される変動表示について、前記特定遊技状態に制御するか否かと、前記複数種類の特定遊技状態のいずれにするかとを前記第１識別情報の変動表示の表示結果が導出表示される以前に決定し（特別図柄ポインタが１のときにおける図２１のＳ６０，Ｓ７１）、前記第２開始条件が成立したときに、前記第２変動表示部で実行される変動表示について、前記特定遊技状態に制御するか否かと、前記複数種類の特定遊技状態のいずれにするかとを前記第２識別情報の変動表示の表示結果が導出表示される以前に決定し（特別図柄ポインタが２のときにおける図２１のＳ６０，Ｓ７１）、
前記第１特定遊技状態、および、前記第２特定遊技状態の終了後において、前記通常遊技状態に比べて前記可変始動装置が前記第１状態に変化する頻度が高い高頻度状態（電チューサポート制御状態）に制御する高頻度状態制御手段（遊技制御用マイクロコンピュータ５６０、図２８のＳ１６６，Ｓ１６８、図３０のＳ５１１，Ｓ５１４）をさらに含み、
前記第２特定遊技状態は、第１遊技状態（第２実施形態の２Ｒ第２確変大当り）と、第２遊技状態（第２実施形態の２Ｒ第３確変大当り）とを含み、
前記変動短縮制御手段は、前記第２短縮状態において前記事前決定手段により前記第１遊技状態（第２実施形態の２Ｒ第２確変大当り）にすることが決定されたときに前記第２短縮状態に制御し（第２実施形態の図３５のＳ１３３Ｂで超時短時発生フラグがセットされたときに、図３６のＳ１６７Ｂで２Ｒ確変大当り後変動時間状態選択テーブルを用いて超時短状態を選択し、Ｓ１６８で超時短フラグをセットして超時短状態に制御する）、前記第２短縮状態以外の所定の状態（通常状態）において前記事前決定手段により前記第１遊技状態にすることが決定されたときに前記第２短縮状態以外の所定の状態（標準時短状態）に制御（第２実施形態の図３５のＳ１３３Ｂで通常時発生フラグがセットされたときに、図３６のＳ１６７Ｂでで２Ｒ確変大当り後変動時間状態選択テーブルを用いて標準時短状態を選択し、Ｓ１６８で標準時短フラグをセットして標準時短状態に制御する）し、
前記事前決定手段は、前記第１変動表示部で実行される前記第１識別情報の変動表示よりも、前記第２変動表示部で実行される前記第２識別情報の変動表示の方が、前記第１遊技状態を決定する割合が高い（第２実施形態の図３４の（Ｄ）に示すような、第２特別図柄について２Ｒ第２確変大当りを選択する割合が、図３４の（Ｃ）に示すような、第１特別図柄について２Ｒ第２確変大当りを選択する割合よりも高い。）。
【手続補正３】
【補正対象書類名】明細書
【補正対象項目名】００１４
【補正方法】変更
【補正の内容】
【００１４】
（５）  前記変動表示部は、
第１始動領域（第１始動口１３）を遊技媒体が通過したことにより変動表示の第１実行条件が成立した後、変動表示の開始を許容する第１開始条件の成立に基づいて、各々を識別可能な第１識別情報の変動表示を実行し、表示結果を導出表示する第１変動表示部（第１特別図柄表示器８ａ）と、
第２始動領域（第１始動口１４）を遊技媒体が通過したことにより変動表示の第２実行条件が成立した後、変動表示の開始を許容する第２開始条件の成立に基づいて、各々を識別可能な第２識別情報の変動表示を実行し、表示結果を導出表示する第２変動表示部（第２特別図柄表示器８ｂ）とを含み、
前記第２始動領域を遊技媒体が通過可能な第１状態（開状態）と、該第１状態よりも前記第２始動領域を遊技媒体が通過しにくいまたは通過しない第２状態（閉状態）とに変化可能であり、所定の条件が成立したときに当該第１状態に制御な可変始動装置（可変入賞球装置１５）をさらに含み、
前記事前決定手段は、前記第１開始条件が成立したときに、前記第１変動表示部で実行される変動表示について、前記特定遊技状態に制御するか否かと、前記複数種類の特定遊技状態のいずれにするかとを前記第１識別情報の変動表示の表示結果が導出表示される以前に決定し（特別図柄ポインタが１のときにおける図２１のＳ６０，Ｓ７１）、前記第２開始条件が成立したときに、前記第２変動表示部で実行される変動表示について、前記特定遊技状態に制御するか否かと、前記複数種類の特定遊技状態のいずれにするかとを前記第２識別情報の変動表示の表示結果が導出表示される以前に決定し（特別図柄ポインタが２のときにおける図２１のＳ６０，Ｓ７１）、
前記第１特定遊技状態、および、前記第２特定遊技状態の終了後において、前記通常遊技状態に比べて前記可変始動装置が前記第１状態に変化する頻度が高い高頻度状態（電チューサポート制御状態）に制御する高頻度状態制御手段（遊技制御用マイクロコンピュータ５６０、図２８のＳ１６６，Ｓ１６８、図３０のＳ５１１，Ｓ５１４）をさらに含み、  前記第２特定遊技状態は、当該第２特定遊技状態の終了後において前記第２短縮状態以外の所定の状態に制御される（図２８のＳ１６６）第１短縮特定遊技状態（２Ｒ第１確変大当り）と、当該特定遊技状態の終了後において前記第２短縮状態に制御される（図２８のＳ１６８）第２短縮特定遊技状態（２Ｒ第２確変大当り）とを含み、
前記事前決定手段は、前記第１変動表示部で実行される前記第１識別情報の変動表示よりも、前記第２変動表示部で実行される前記第２識別情報の変動表示の方が、前記特定遊技状態として前記第２短縮特定遊技状態を決定する割合が高い（図８（Ｄ）〜（Ｆ）に示すような、第２特別図柄について２Ｒ第２確変大当りを選択する割合が、図８（Ｃ）に示すような、第１特別図柄について２Ｒ第２確変大当りを選択する割合よりも高い。）。